Podtech/llm-jp-corpus-v4-ja_patent huggingface dataset:
(57)【要約】【課題】            現在、燐酸、特に燐酸カリウムを土壌に与えてその土壌を肥沃化するとともに、余分な窒素を土壌から除去し、環境を良化させることを同時に実効することができる肥沃化材が存在していない点、また、多用される化学肥料はその原料の入手から多くの工程を経て得られるもので、価格的にも高騰せざるを得ず、簡易に使用するわけにもいかず、それに見合う土地の広さや作物の収穫量が必要とされる点である。【解決手段】        木の葉、小枝等を集積し、密閉状態とした空域において蒸し焼き、あるいは燻すことにより得られることとし、前記した木の葉、小枝等は落葉樹、常緑樹あるいは広葉樹、針葉樹等の限定なく選択されることとし、前記した蒸し焼きあるいは燻し時間は略１週間程度としたこととする。【選択図】          なし【特許請求の範囲】
【請求項１】
木の葉、小枝等を集積し、密閉状態とした空域において蒸し焼き、あるいは燻すことにより得られることを特徴とする肥沃化材。
【請求項２】
前記した木の葉、小枝等は落葉樹、常緑樹あるいは広葉樹、針葉樹等の限定なく選択されることを特徴とする請求項１に記載の肥沃化材。
【請求項３】
前記した蒸し焼きあるいは燻し時間は略１週間程度としたことを特徴とする請求項１または請求項２に記載の肥沃化材。
【発明の詳細な説明】
【技術分野】
【０００１】
本発明は肥沃化材に関し、特に我が国において広く存在する酸性土壌や火山灰土壌に対して肥効を大きく向上させ、作業収穫の効率を高め、また、植樹の安定化を図ることもできる肥沃化材に関する。
【背景技術】
【０００２】
従来より、我が国における土壌は、農業を対象としてみた場合、酸性土壌や火山灰土壌が広く分布され、存在している。元来、土地を肥沃なものとする一要素である燐酸は一般的土壌にも強固に吸着されるもので、植物による吸収、利用率は低く施用燐酸の３〜２５％が利用されるにすぎない。
【０００３】
特に、前記した酸性土壌や火山灰土壌は燐酸を多く吸着するので、より多くの燐酸を肥料として施用する必要性があり、効果も大きくなる。一般的に燐酸の施用料は土壌や作物の種類によっても異なるが、多くは１０ａ当たり１０〜２０ｋｇである。しかし，この値は既に何年も作物栽培をしている通常の農地で通用するもので、開墾や開田した農地、特に酸性土壌や火山灰土壌ではこの１０倍程の量を必要とする。
【０００４】
現在、市販されている燐酸肥料と称されるものは、燐鉱石を硫酸、燐酸、硝酸等の鉱酸で分解して湿式法で製造するもののほか、乾式法で製造するもの等があり、植物にはオルト燐酸として吸収される。
【０００５】
一方、窒素も植物の重要元素であり、蛋白質、アミノ酸、核酸等に含まれる。この窒素は多くの農作物にあって最も不足しやすい成分であり、一般的に有機質窒素肥料や動植物質の有機質肥料として与えられるが、土壌中で微生物の働きによって、あるいは化学的に分解され水溶性窒素化合物となって植物に利用されるので肥効は緩やかでゆっくり現われることとなる。
【０００６】
前記したように窒素は多くの農作物で最も不足しやすい成分ではあるが、多すぎてしまうと作物の徒長や品質の低下を招き、ときには土を劣悪化させ、また土から流亡して周辺の河川水や地下水を汚染して水質を低下させ、あるいは土からガス体のＮ２Ｏ、ＮＯ２、ＮＨ３などとして揮散し、作物に被害を与えてしまうことがある。
【特許文献１】出願人において、先行する技術を調査したが、格別に本願発明と類似すると思われる文献は発見できなかった。
【発明の開示】
【発明が解決しようとする課題】
【０００７】
本発明が解決しようとする問題点は、現在、燐酸、特に燐酸カリウムを土壌に与えてその土壌を肥沃化するとともに、余分な窒素を土壌から除去し、環境を良化させることを同時に実効することができる肥沃化材が存在していない点である。
【０００８】
また、現在、多用される化学肥料はその原料の入手から多くの工程を経て得られるもので、価格的にも高騰せざるを得ず、簡易に使用するわけにもいかず、それに見合う土地の広さや作物の収穫量が必要とされる点である。
【課題を解決するための手段】
【０００９】
上記した問題点を解決するため、本発明は木の葉、小枝等を集積し、密閉状態とした空域において蒸し焼き、あるいは燻すことにより得られることを特徴とし、前記した木の葉、小枝等は落葉樹、常緑樹あるいは広葉樹、針葉樹等の限定なく選択されることを特徴とし、前記した蒸し焼きあるいは燻し時間は略１週間程度としたことを特徴としている。
【発明の効果】
【００１０】
上記した構成としたことによって、通常は廃棄、焼却処分されてしまう木の葉や小枝等、それも種類を格別に問うことなく外観的には腐葉土に近い肥沃化材を得ることができる。この肥沃化材は腐葉土の場合と異なり、窒素肥料の水溶液を散布して、微生物の働きで発酵、分解させるという工程がなく、有効に燐酸、それも吸湿性の強い燐酸カリウムを土壌に与えることができることとなり、前記した吸湿性に起因して余分な窒素を化学変化させ除去することができ、酸性土壌、火山灰土壌をより良く農作に適した土壌に改良することができる。
【００１１】
こうして得られた肥沃化材を用いると、稲作では通常８４〜９４粒の状態のものが１２８粒（一穂）にまで上昇し、苗も非常に抜けにくい強いものとなる。また、さつま芋等の場合も、その収穫量は著しく増加し、単品としてのサイズも大型で実の詰ったものとすることができる。
【発明を実施するための最良の形態】
【００１２】
実施例として記した形態として実現した。
【実施例１】
【００１３】
本発明を実施するにあたり、専用の窯は特に必要としない。一つの例として地表から深さ１０ｍ、径１０ｍ程度の穴を掘削し、この穴内に通常で入手できる木の葉、例えば松葉やブナ、クヌギ、椎等の葉や小枝、樹皮等をランダムに投入集積し、その表面を被覆し閉塞する。
【００１４】
着火は前記した集積体に直接でも、媒介物をおいての間接でも可能であるが、その着火、加熱状態で蒸し焼きか、燻しかの差となる。これを上記した規模で略１週間程度の時間で続行すると、一部に木の葉や小枝等の原形を一部残し、全体として土状に変化された肥沃化材を得ることができる。
【００１５】
この肥沃化材は目的地に穴を掘り、その穴内への埋め戻しとしても、既存の土壌への混入あるいは散布等、多様な使用形態を実行することができる。燐酸カリウムをその構成から多く含有しているため、吸湿性がよく、湿土状態とされているため、使用する作業に格別に専用の器具を必要とすることもない。
【００１６】
また、上記したように根付きも良化されるため、昨今の農業機械による作業、特に刈り取り等をスムーズに実行することができるようになり、その後の処理も容易なものとされる。
【産業上の利用可能性】
【００１７】
本発明に係る肥沃化材は上述のように構成されるため、大掛かりな工場プラント等は必要とせず、比較的手軽にしかも安価にて製造し、供給することができるもので、農業のほかにも樹々の植栽についても安定を図ることができ、全くの枯渇した土壌、例えば砂漠化した土地等も改良して、農作物を栽培するのに適した土壌にすることも可能となる。
(57)【要約】      （修正有）【課題】市販の袋に入ったお米をいろいろな容器に移し替える際に、男手に頼らないでらくに作業できる吸引ポンプを提供する。【解決手段】吸引口（７）をお米の袋に差し込み、吸引モーター（１）を回し、吸引モーターに直結している吸引ファン（２）を回転させ、吸引口から袋の中のお米を吸い上げ、吸い上がったお米を、吸出しモーター（８）を回し、その吸出しモーターに直結している吸出しファン（６）を矢印の方向に回転させ、開閉バルブ（５）を押し吹出し口（３）から出し、収納ボックスや各容器にらくらくに移し替える事が出来る。【選択図】図１
2006021926.tif 000002
【特許請求の範囲】
【請求項１】
袋に入っているさまざまな量の米を袋から各容器に移し替えるポンプ
【発明の詳細な説明】
【発明の詳細な説明】
この発明は市販されている袋に入ったさまざまな量のお米を収納ボックスや炊飯器などに移し替えるポンプです。
従来はコンビニエンスストアーなどで買って来た袋に入ったお米を、袋に穴を開け、重い袋を持ち上げ収納ボックスなどに移し替えなければならなく、そのため、主婦や女性の人達は男手に頼っていました。
本発明は、その不便を解消するため考案されたもので、これを図面について説明すれば、考案したお米らくらく吸引ポンプの（７）の吸引口をお米の袋に差し込み、（１）の吸引モーターを回し、吸引モーターに直結している（２）の吸引ファンを回転させ、吸引口から袋の中のお米を吸い上げ、吸い上がったお米を、（８）の吸出しモーターを回し、その吸出しモーターに直結している（６）の吸出しファンを矢印の方向に回転させ、（５）の開閉バルブを押し（３）の吹出し口から出し、収納ボックスや各容器にらくらくに移し替える事が出来る。
又、図（１）の吸引モーターの変りに掃除機の吸引を利用しても吸引し、吹出し可能である。
【図面の簡単な説明】
【図１】  お米らくらくポンプを真横から中を見た平面図である。
【図２】  お米らくらくポンプを図１（３）の吸出し口側から中を見た平面図である。
【符号の説明】
（１）は吸引モーター  （２）は吸引ファン  （３）は吹出し口  （４）は穴の開いた仕切板  （５）は開閉バルブ  （６）は吸出しファン  （７）は吸引口  （８）は吸出しモーター
【図１】
2006021926.tif 000003
【図２】
2006021926.tif 000004
【手続補正書】
【提出日】平成16年10月6日(2004.10.6)
【手続補正１】
【補正対象書類名】明細書
【補正対象項目名】全  文
【補正方法】変更
【補正の内容】
【書類名】      明細書【発明の名称】  お米らくらく吸引ポンプ【発明の詳細な説明】  この発明は市販されている袋に入ったさまざまな量のお米を収納ボックスや炊飯器などに移し替えるポンプです。  従来はコンビニエンスストアーなどで買って来た袋に入ったお米を、袋に穴を開け、重い袋を持ち上げ収納ボックスなどに移し替えなければならなく、そのため、主婦や女性の人達は男手に頼っていました。  本発明は、その不便を解消するため考案されたもので、これを図面について説明すれば、考案したお米らくらく吸引ポンプの▲３▼の吸引パイプをお米の袋に差し込み、▲１▼の吸引モーターを回し、吸引モーターに直結している▲２▼の吸引ファンを回転させ、▲８▼の吸引口から袋の中のお米を吸い上げ、吸い上がったお米を▲２▼の噴き出しファンを矢印の方向に回転させ、▲４▼の噴き出し口から収納ボックスや各容器にらくらく移し替える事ができる。  なお、動力は家庭の１００Ｖの電源を使用する。【図面の簡単な説明】【図１】      ファンとファンケースの平面図である。【図２】      お米らくらく吸引ポンプ全体の平面図である。【図３】      モーターとファンとファンケースの平面図である。【符号の説明】▲１▼吸引モーター    ▲２▼吸引ファン    ▲３▼吸引パイプ    ▲４▼噴き出しパイプ    ▲５▼ファンケース    ▲６▼モーターケース    ▲７▼スイッチ    ▲８▼吸引口【手続補正２】
【補正対象書類名】図面
【補正対象項目名】全  図
【補正方法】変更
【補正の内容】
【書類名】図面    【図１】2006021926.tif 000005
【図２】2006021926.tif 000006
【図３】2006021926.tif 000007
【手続補正４】
【補正対象書類名】特許請求の範囲
【補正対象項目名】全文
【補正方法】変更
【補正の内容】
【書類名】特許請求の範囲    【請求項１】  袋に入っているさまざまな量の米を袋から各容器に移し替えるポンプ
(57)【要約】【目的】  昇降装置の動力伝達機構を簡単にして、コストダウン、故障を無くし信頼性を高め、寿命を延ばす装置にする。【構成】  ２本のスイングアームシャフトの間隔を小さくして動力伝達機構を簡単にするため、スイングアームをスイングアームシャフトの外側でスイングする構造にして、動力伝達機構を簡単にした昇降装置。【選択図】        図１
2006021927.tif 000002
【特許請求の範囲】
【請求項１】
両側の２本のスイングアームシャフトの外側に位置した、テーブル昇降用案内溝に嵌まり込んでいるスイングアームの先端に取り付けられたローラーで、スイングアームシャフトから伝えられた上下動のきで、昇降用案内溝を上げ下げすることにより、テーブルの昇降運動を行なう昇降装置。
【発明の詳細な説明】
【発明の詳細な説明】
【産業上の利用分野】
【０００１】  本発明は、主として立体駐車用ターンテーブルの昇降装置に関するもので、極力機構を簡略化して、コスト低減、及び信頼性を高め故障の頻度を少なくし、車を預けたお客に迷惑のかからない立体駐車場を目指すことにある。
【０００２】  立体駐車用ターンテーブルの昇降装置のほか、かなり重量物を持ち上げる各種のリフターとしてこの昇降装置が応用され、低いコストで、故障のない信頼性の高い装置として利用される。
【背景技術】
【０００３】  従来の立体駐車用ターンテーブルの昇降装置の、スイングアーム方式では、スイングアームシャフトの内側にテーブル昇降用案内溝を位置する構造を常識としていて、そのため両側にあるスイングアームシャフトの軸間距離が大きくなり、動力伝達機構に多くの部品が必要になったり、給油の困難なラック方式に頼らざるを得なくなったりしている。
【発明が解決しようとする課題】
【０００４】  従来の立体駐車装置の、ターンテーブル内蔵昇降装置では、油圧式と機械式とがあり、本発明の機械式では、ラック方式やスイングアーム方式などがある。
【０００５】  従来のような内側スイング昇降方式では、軸間距離が大きいためスイングアームシャフトに動力を伝達の歯車数が多くなったり、給油の困難なラック方式を採用せざるを得なくなる。
【課題を解決するための手段】
【０００６】  従来の軸間距離を更に小さくすることが可能であればスイングアームシャフトに動力を伝達する歯車数を少なくでき、給油の困難なラック方式を採用することが避けられ、機構を簡略化して、コスト低減、及び信頼性を向上し故障の頻度を少なくすることが出来る。
【０００７】  そこで本発明ではスイングアームのローラーで持ち上げる昇降用案内溝を、スイングアームシャフトの外側の位置にすることによりスイングアームシャフトの軸間距離を小さくして動力伝達のための歯車数を最小限に減らすことが出来た。
【０００８】  ラック方式でスイングアームシャフトに動力を伝達する方法もあるが、ラックに給油が困難であるためラックの材質の選定と、熱処理に吟味が必要であり採用にはためらいもある。
【作用】
【０００９】  モーターシャフトに付いている歯車即ち、モーターピニオンに２個の歯車が噛み合っていて双方のスイングアームシャフトに動力を伝える。片方にはアイドルギヤーを付けてスイングアームシャフトの回転方向を上下動が同じ方向に合うようにしている。ピニオンからの動力を半円のセグメントギヤーに伝えてスイングアームに上下動を与えるよう駆動し昇降用案内溝をローラを介して上下させてテーブルの昇降運動を行なう。
【実施例】
【００１０】  １はテーブル、２はテーブル１の４箇所に固着している昇降用案内溝。３はスイングアームシャフト、４はモーター、５はモーターピニオンでモーターシャフトに固着している、６はアイドルギヤーでスイングアームシャフトの回転で、双方のスイングアームを同じ方向の上下運動になるように合わせている。７はギヤーで８ピニオンに動力を伝える。９はセグメントギヤーで１０スイングアームを旋回運動させる。１１ローラは１０スイングアームの先端に取り付けてあり、２昇降用案内溝に嵌まっている。【００１１】  動作を説明すると、図１はテーブルが下方にあるときの位置を示し、図２はテーブルが上方にあるときの位置を示している。図１のようにテーブルが下方にあるとき、モーターを起動するとモーターピニオンが回転し、アイドルギヤー６及びギヤー７に回転をあたえる。双方に別れた回転力はピニオン８を介してセグメントギヤー９からスイングアームに回転力をあたえてスイングアーム先端に付いているローラ１１を上下に運動させる。【００１２】  この場合テーブルの４箇所には昇降用案内溝があり、その溝に嵌まりこんでいるローラが４個同時に上昇するので、テーブルも傾くことなく上昇し停止スイッチのところで停止する。【００１３】  下降の場合は上述とは反対の動作で下限スイッチまで下がって停止する。
【発明の効果】
【００１４】  以上説明したように、この発明によれば、（１）従来の内スイング式にくらべ本発明の外スイング式は動力伝達装置が簡単なので、コストが安く出来る。
【００１５】（２）潤滑油が使えるので歯車等の寿命が長くなる。
【００１６】（３）構造が簡単なので、故障がなく信頼性が高い装置になる。
【図面の簡単な説明】
【図１】下限位置の正面図。
【図２】上限位置の正面図。
【図３】全体の平面図。
【図４】従来方式との比較図。
【符号の説明】
１  テーブル
２  昇降用案内溝
３  スイングアームシャフト
４  モーター
５  モーターピニオン
６  アイドルギヤー
７  ギヤー
８  ピニオン
９  セグメントギヤー
１０  スイングアーム
１１  ローラー
１２  ラック
１３  歯車列
【図１】
2006021927.tif 000003
【図２】
2006021927.tif 000004
【図３】
2006021927.tif 000005
【図４】
2006021927.tif 000006
(57)【要約】【課題】  用水の循環使用において、ヌメリおよびそれに伴うレジオネラ属菌の除去・防止の為に、運転休止・全分解洗浄をする事なく、連続運転しつつ、全域において、ヌメリおよびレジオネラ属菌の除去・防止が可能なシステム。【解決手段】  （１）既設のシステムに付加可能な補助システムとして応用可能な構造とする。  （２）システムの連続運転を妨げないバイパス切換三方コックを付帯する。  （３）薬剤はカートリッジに充填され、カートリッジの交換で補給を行う。  （４）カートリッジとその収容部分は透明材とし、薬剤を観測可能とする。  （５）薬剤は安全無害でヌメリやレジオネラに有効な薬剤を採用する。  （６）薬剤は必須ミネラルを主成分とし、難溶性で徐放性な固体とする。【選択図】  図５
2006021177.tif 000002
【特許請求の範囲】
【請求項１】
必須ミネラルを主成分とし安全無害でヌメリやレジオネラに有効な薬剤を採用する。
【請求項２】
循環する温水へ防ヌメリ剤を連続に、徐々に添加する方法。
【発明の詳細な説明】
【発明の詳細な説明】
【技術分野】
【０００１】  本発明は、給水・給湯などで、特に貯留槽とポンプが有り循環して使用される、空調用冷却塔水、給温水、修景用水、雑用水、温泉浴槽水、プール水、浴槽水などのヌメリやレジオネラ属菌の除去・防止に関する。
【背景技術】
【０００２】  従来用水の循環使用には砂濾床など濾過器が使われていたが、濾過効果の良い物はヌメリで短期間に濾過不能となり、長期間濾過可能な物は濾過効果が悪かった。ヌメリは濾過可能期間（濾材寿命）を損ねるだけでなく、レジオネラ属菌の温床となり、非衛生な状況を蔓延する事となる。
ヌメリは濾材のみならず用水系の全域に発生し、衛生の改善にはその全てを除去・防止せねばならないが、それには運転休止と全分解洗浄・消毒が必要である。
運転休止と全分解洗浄・消毒の頻度を軽減できる、さらに休止・分解せずに、連続運転可能なヌメリ除去・防止剤とそのシステムが望まれている。
【発明が解決しようとする課題】
【０００３】  用水システムの運転休止・全分解洗浄の頻度を軽減し、更に連続運転可能とするシステム設計とそれに適する安全・無害で環境汚染とならない薬剤の開発が必要。
▲１▼  濾材はヌメリ以外の原因でも目詰まりするから逆洗・交換可能な物とする。
▲２▼  薬剤は難溶・除放性固体として必ずしも薬注ポンプを必要としない物とする。
▲３▼  薬剤の消耗は運転条件によるから、その程度を外部から観測可能とする。
【課題を解決するための手段】
【０００４】（１）既設のシステムに付加可能な補助システムとして応用可能な構造とする。
（２）システムの連続運転を妨げないバイパス切換三方コックを付帯する。
（３）薬剤はカートリッジに充填され、カートリッジの交換で補給を行う。
（４）カートリッジとその収容部分は透明材とし、薬剤を観測可能とする。
（５）薬剤は安全無害でヌメリやレジオネラに有効な薬剤を採用する。
（６）薬剤は必須ミネラルを主成分とし、難溶性で徐放性な固体とする。
【発明を実施するための最良の形態】
【実施例１】
【０００５】  既設の用水循環ラインの、ヘアーキャチャーと濾過器の後、ポンプの前の箇所へ、本発明の補助システムを組み込み、運転する。補助システム内に装填された薬剤（必須ミネラル酸化物の相互固溶体）から銅ないしは亜鉛のイオンが、ｐｐｍオーダーで溶出し、ヌメリを除去し、結果レジオネラ属菌も消滅する。
【実施例２】
【０００６】  既設の用水循環ラインの、ヘアーキャチャーと濾過器の後、ポンプの前の箇所へ、本発明の補助システムを組み込み、運転すれば、補助システム内に装填された薬剤（必須ミネラルと抗菌性有機化合物の錯化合物）から銅ないし亜鉛のイオン等が、ｐｐｍオーダーで溶出し、ヌメリを除去し、結果レジオネラ属菌も消滅する。
【発明の効果】
【０００７】  用水の使途によっては  遊離残留塩素濃度を０．２〜０．４ｍｇ／Ｌに保つ事が不都合な場合も多く、全換水が出来ない場合も多い。設備の洗浄・消毒に運転休止が困難な場合も、全配管内の洗浄・消毒は不可能な場合もある。もしもそれらの行為なしで清潔な状態が、それも安全・無害に得られるならば、経済効果は著しい。
本発明の薬剤を装填した補助システムを組み込む事で、連続運転しつつ全水槽・全配管のヌメリ除去・防止と  それに伴うレジオネラ属菌の絶滅が得られる。
【図面の簡単な説明】
【０００８】
【図１】薬剤１の分子構造の図である。
【図２】薬剤２の分子構造の図である。
【図３】図１，図２の薬剤１，２，を充填したカートリッジの断面図である。
【図４】図３のカートリッジを装填した  本発明による補助システムの断面図である。
【図５】図４の補助システムを組み込んだ  一般の用水循環システムの配管図である。
【符号の説明】
【０００９】  １  透明なカートリッジの筒体
２  薬剤１の顆粒体
３  薬剤２を担持した球状体
４  臭気・色素を吸着する活性炭
５  合成繊維綿
６  カートリッジを収容する透明な外筒
７  浴槽
８  集毛器
９  補助システム
１０  循環ポンプ
１１  消毒薬剤注入装置
１２  濾過器
１３  加熱器
【図１】
2006021177.tif 000003
【図２】
2006021177.tif 000004
【図３】
2006021177.tif 000005
【図４】
2006021177.tif 000006
【図５】
2006021177.tif 000007
(57)【要約】【目的】  生ゴミ、畜糞等に混合して気体と水と若干の残存物にまで分解し、養魚池に撒布すれば糞・餌等による汚れを分解する便利な資材を提供する。  従来の様な特殊な設備やその為の微生物資材と称するものなどを不要にする提案である。【構成】  木質を主たる材料に好気的に発酵処理した堆肥様物質を用いる。特に、良好に発酵処理した物は強力であり、その様な物質で目的は達せられる。  用法は極めて簡単で、臭気を発生する物質混合するだけで良い。養魚池では撹拌装置又は曝気装置の近傍に撒布するだけで良い。  効果を発揮させるために、特別な手続を必要としない点が優れている。【特許請求の範囲】
【請求項１】
組織が物理的に細かく壊されるように破砕した樹木を主たる原料として枯草菌等の微生物が作用して起る高温醗酵で得られる堆肥様物質即ち腐植質で、各種有機物等を分解し消化する能力を有する事を特徴とする有機物等の消化分解剤（以下消化剤という）。
【発明の詳細な説明】
【考案の詳細な説明】
【考案に関連する技術の現状】
最近まで生ゴミと言えば何の区別もなく燃すか或は堆肥化と、判で押した様にこの手の技術は画一的であった。しかし、その先は用途も捨場もなく、その為と称する専用機械を設備して終るのが成行きの終点であった。
人智は全ての面で平均的に進歩するものでは無く、人間生活の裏側にあり附け足りの様に扱われる余剰物、排出物の処理は、現代に於て殊の外等閑視されて来た。しかし、生ゴミや畜糞など人間界が造出する各種廃棄物の処理は、食物消費の拡大に伴い、これ又必然的に拡大する性質を有す。量が限度を超えた今、透徹した原理に依らない浅薄な処理法が困難に輪を掛ける。
陸の糞だけに目が向き勝ちであるが、漁業も今や養殖の時代である。養殖に伴う水の汚染は深刻であり、糞と余剰飼料の影響は想像を遙かに超える。海水・河川水ともに充分な水量で汚染の影響は排除できると考えてきたが、これらが原因の水汚染は甚大な被害を与えつつある。
人間はともすれば自然の仕組を見落し浅はかな知識に溺れるが、所詮人智は自然を越えないのである。この観点に立てば、人間は自ずから自然の仕組に学ぶ姿勢になる。
我々もそうして自然の機構を知り、此処に画期的な考え方を披露する。
【考案が解決せんとする課題】
従来の技術の欠点は数多くある。大量のエネルギーを浪費し、専用の設備には多額の費用を要し、出来たものの多くは、これ又廃棄物である。
求める技術は丁度この対極にあるものでなければならない。
【課題を解決するための手段】
自然界で動物の死骸や草木が分解される過程と、樹木を主材とする堆肥化の過程を詳細に比較検討し、最も急速に有機物の分解が進む機構を見出す。その機構を人為的に再現できれば所期の目標に到達できる、と考える。
一般的に、窒素成分を含む有機物を好気的に分解するには炭素成分が必要であり、炭素分が過剰な方が、窒素成分を含む有機物の分解は急速に進む。
この原理は河川浄化、海洋汚染防止にも適用されるものである。
【課題のＩ】
生ゴミや畜糞のような物質が急速に分解するには、好気性の醗酵過程が、適している。その際、必ず存在する必要があるのは木質等が分解して生成する有機炭素化合物即ち腐植質である。その腐植質の量や活性度が反応の遅速に甚だ大きく影響する事が判った。高活性度の腐植質が必要である。
【課題のＩＩ】
課題のＩに言う高活性度の有機炭素化合物は、可能な限り安価で大量に入手でき、尚且つ安全で扱い易いことを、具備すべき条件とする。
この条件に合う資材として「樹木を組織が物理的により細かく壊される様に機械的に破砕したものを主原料に、高温醗酵で得られる堆肥様物質」が相当することが判った。
【課題のＩＩＩ】
先に我々は、樹木を枯草菌等で堆肥化した物に消臭作用がある、として消臭剤を提案したが、その即効性に注目した結果、堆肥様物質即ち腐植質の真の能力について着想を得た。両者は同じ原理に従うものである。
【課題のＩＶ】
破砕樹木を主原料に醗酵させる過程で、各種有機物を添加すると醗酵が促進される事から、これら有機物は醗酵促進材と認められる。醗酵促進材を加えて製造した消化剤は、加えた有機物に対して特に顕著な消化能力を有する。製造に際し醗酵促進材を選べば用途向きの製品を製造できる。
【留意点１】
ここに言う消化作用、即ち腐植質の作用のうち吸着以外では、水の存在が不可欠である。
【留意点２】
該消化剤は水中でも急速に窒素化合物を分解し、水質浄化に絶大な威力を発揮することを確かめた。ダムに滞留した水は腐植質を失い浄化能力は半減すると推定される。瀬などの曝気作用が有効であるのは否定しないが腐植質あっての曝気作用であり、河川の浄化作用の主役は腐植質である。元々河川自体に高い浄化能力がある、と考えるのは大いに疑問である。
【留意点３】
嘗ての主流ろ過技術、緩速ろ過法は腐植質の特質を活かして優れたろ過性能を示す。一方、現在主流のろ過技術、急速ろ過法ではろ過速度が速い為に腐植質が活きない。更に、腐蝕質の存在でトリハロメタンが生成する機構上の欠点があり、生成したトリハロメタンの除去もできない。
これは合理性を失った現行水道システムが抱える原理的な欠陥であり、その点を措いて腐植質の功罪を論じては自然の本質を見誤る。
【留意点４】
河川水のダム滞留で、下流の水に含まれる腐植質の量は減少する。河川の湾口周辺や広く沿岸部で起きている富栄養化は、腐植質が窒素化合物に対し化学量論的に不足する事が一因と推定される。
一方、水質が漁業環境に支配的な影響を及していることも間違いない。従って、沿岸の漁場で頻発する富栄養化が原因の各種漁業被害が、河川に設けられたダムを遠因として起きている可能性は否定できない。
【留意点５】
一般に塩素が作る化合物には有害な物質が多い。腐植質は化学的活性が高いのでこの点には注意が必要である。塩素を遊離する物質と同時に使用するのは、有機塩素化合物が生成する危険性があり、効率と安全性の両面から、避けなければならない。
【留意点６】
養魚場で多用されている水処理設備が有効なのは否定しないが、水質を保持するのが精一杯で、改善には殆ど寄与しない、と考えられる。水中の炭素分が消費し尽されている状態では、窒素成分を主とした汚濁に対する水質改善は期待できないのである。
この様な場合、汚濁物質を消化分解して栄養性を無くする方法が最善であり、その為には炭素分が不可欠である。
水処理設備に腐植質を併用すれば、即効性と有効性が格段に高まる。
【実施例１】  ４５Ｌのプラスチック容器に生ゴミ２０Ｌを集積し消化剤１Ｌを混合する。１週間程度で全量が水様物質に変化する。この間臭気は全く発生しない。
【実施例２】  豚糞２０Ｌに倍量の水を加え、消化剤を適宜混合する。１０日後には固形物がほぼ消化されて水様物質が残る。未消化で排出された穀類は残留する。
人糞でも黄茶色の水様物質だけが残り、紙類も形を残さない。色は血液中の鉄分によると考えられ、この方法では消えない。この間臭気は発生しない。
【実施例３】  容器に魚のアラを入れて水を加え撹拌する。アラを取出して魚臭のする水を作る。魚臭のある水をこのまま放置すると、臭いは一層悪化する。臭いの悪化した水に消化剤を加え、暫時撹拌していると間もなく臭いは消え、水の濁りもやがて消える。
この場合、汚染物質の量と消化剤の量との間には化学当量的な関係があり、相対的に消化剤の量が少ないと濁りは消えず、一旦消えた臭いも復活する。
(57)【要約】【課題】プリント配線板の加工に使用されるドリルへのリングを挿入する機械は、ドリル刃先と挿入部分が接触する為、ドリル刃先のカケ，ドリルの折れ，挿入部の摩耗による基準位置ズレが発生し、品質に問題が発生していた。【解決手段】ドリルリング基準位置は画像処理５で確認し、ドリルへの挿入時はドリルシャンク部を掴みツメ６で掴み、ドリル刃先には接触しない事とした。【選択図】図１
2006021311.tif 000002
【特許請求の範囲】
【請求項１】
プリント配線板の穴加工に使用されるドリル（ドリルシャンク３．１７５ｍｍ．２ｍｍ）にリングを挿入する時、ドリル先端と接触しないことを特徴とするドリルリング挿入機。
【請求項２】
前記ドリルリング挿入機の挿入位置基準を決めるセンサーは、ドリル刃先先端部を画像処理，確認する事を特徴とする請求項１記載のドリルリング挿入機。
【請求項３】
前記ドリルリング挿入機の挿入方法は、ドリルシャンク部を掴みドリル刃先逆側（ドリルシャンク）よりリングを挿入する事を特徴とする請求項１記載のドリルリング挿入機。
【発明の詳細な説明】
【技術分野】
【０００１】  この発明は、プリント配線板の加工に使用されるドリルへのリングを挿入する機械に関する。
【背景技術】
【０００２】  従来のプリント配線板の加工に使用されるドリルへのリングを挿入する機械は、図２に示すようにドリル刃先（先端）より接触してドリルを押し込みリングに入れる機械である。
【発明の開示】
【発明が解決しようとする課題】
【０００３】しかしながら、以上の技術によれば、ドリル刃先と挿入部分が接触する為、ドリル刃先のカケ，ドリルの折れ，挿入部の摩耗による基準位置ズレが発生し、品質に問題が発生していた。そこで、この発明は、ドリルのカケ，折れが発生せず、基準位置がズレ無い機械を提供することを課題とする。
【課題を解決するための手段】
【０００４】  以上の課題を解決するために、第一発明はドリル刃先と接触しないことを特徴とするドリルリング挿入機である。
第二発明は、ドリルリング位置の基準をドリル刃先先端部を画像処理，確認する事を特徴とするドリルリング挿入機である。
第三発明は、ドリルをリングへ挿入するとき、ドリルシャンク部を掴みドリル刃先逆側（ドリルシャンク）よりリングを挿入する事を特徴とするドリルリング挿入機である
【発明の効果】
【０００５】  ドリルへリングを挿入するとき、ドリル刃先と接触しない為、ドリル刃先のカケ，折れ，基準位置ズレが発生しない。
【発明を実施するための最良の形態】
【０００６】  この発明の一実施形態を、図１に示す。
ドリルリング挿入機には、ドリル刃先を確認する  画像処理カメラ５  ドリルシャンク部を掴む  掴みツメ６が一体的に設けられいる。【０００７】「実施形態の効果」
この実施形態によれば、ドリルシャンク部を掴む  掴みツメ６  によりドリル刃先を押す必要が無い。又、画像処理カメラ５  により、リング基準位置を決める為に刃先に触れる必要性がない。【０００８】「他の実施形態」
図１の実施形態では、ドリル刃先を確認するため画像確認カメラを使用しているが、他の実施形態では、ドリル刃先を確認できるセンサー等でも良い。
【図面の簡単な説明】
【０００９】
【図１】この発明の一実施形態，方法を示す斜視図である。
【図２】従来技術，方法を示す斜視図である。
【符号の説明】
【００１０】  １  ドリル        ２  ドリル刃先部    ３  ドリルシャンク部
４  リング        ５  画像処理カメラ  ６  掴みツメ
７  ドリル刃先挿入部
【図１】
2006021311.tif 000003
【図２】
2006021311.tif 000004
(57)【要約】      （修正有）【課題】体外離脱意識を応用して不老不死を実現させる。【解決手段】体外離脱意識エネルギーを１１次元宇宙に追い重力子（グラビトン）とみなし解釈し重力波の周波数をその重力子と合わせ人間型サイボーグ内に誘導し固定して人間同様の行動を可能とし不老不死を実現する。【選択図】なし【特許請求の範囲】
【請求項１】
（イ）右大脳皮質の右角状回を電極刺激もしくはヘミシンク技術により意識が体を離れる。
（ロ）それは１次元から６次元分の丸め込まれたプランクスケールに行くことから１１次元宇宙論を用いればそれは１次元から６次元を通過できる重力子（グラビトン）と解釈する。
（ハ）さらに意識する主体は脳波がフラットでも存続することが可能なことは臨死体験の例から判っているところから重力子が意識する主体と同じものであると解釈できる。
（ニ）この意識する主体の重力子と交信するには１１次元宇宙を通過できる重力波でこの重力子と同調する重力波の周波数を合わせて行う。
（ホ）さらにその意識を重力波で意識用人間型サイボーグ内に誘導しその中で人間同様に動けるようにする
以上の如く論理で導かれる不老不死の意識用サイボーグ誘導ならび人間同様の行動できる装置。
【発明の詳細な説明】
【技術分野】
【０００１】  本発明は、体外離脱意識を誘導しサイボーグ内に固定する不老不死に関する。
【背景技術】
【０００２】  従来、体外離脱できる右角状回の電極刺激やヘミシンク技術が発見発明されたがその応用はなかった。（例えば非特許文献１参照。）。【０００３】
【非特許文献１】  「ネーチャー」、２００２年９月１９日、２６９頁から２７０頁
【非特許文献２】  「ランセット」２００１年１２月１５日、２０３９頁から２０４５頁
【発明の開示】
【発明が解決しようとする課題】
【０００４】  従来、体外離脱できる発見発明があったがそれを応用して不老不死技術はなかった。
【課題を解決するための手段】
【０００５】  体外離脱したエネルギー分を重力子という意識する主体と解釈しそれが行く１１次元宇宙に重力波で追い重力波の周波数を重力子と合わせてサイボーグに誘導しその中で人間と同じ行動できる。
【発明の効果】
【０００６】  物理学的に体外離脱意識をサイボーグに入れることで不老不死を可能とした。
【発明を実施するための最良の形態】
【０００７】    以下、本発明の実施例について時系列的論理的に文章で説明する。右大脳皮質の右角状回を電極刺激もしくはヘミシンク技術により意識が体を離れる。それは１次元から６次元分の丸め込まれたプランクスケール行くことから１１次元宇宙論を用いればそれは１次元から６次元を通過できる重力子（グラビトン）と解釈する。さらに意識する主体は脳波がフラットでも存続することが可能なことは臨死体験の例から判っているところから重力子が意識する主体と同じものであると解釈できる。この意識する主体の重力子と交信するには１１次元宇宙を通過できる重力波でこの重力子と同調する重力波の周波数を合わせて行う。さらにその意識を重力波で意識用人間型サイボーグ内に誘導し固定することでそのサイボーグに人間同様の動きを可能とし不老不死を実現させる。
【実施例】
【０００８】    上記の如く実施される。
【産業上の利用可能性】
【０００９】    欧米など各国で死後、遺体を冷凍保存し未来科学に頼っているがその方法だけでなく第二の方法として産業上の利用可能性が高いと解される。
(57)【要約】【課題】  ブラインドの掃除道具を提供する。【解決手段】  ブラインドを拭くための充分な大きさをもった掃除面の上部の裏側に窓側に引っかけるための足部を設け、下部の裏側には、支えとなる足部を中央部に設け、長さの違うそれぞれの足部により、安定し、掃除面がブラインドに密着することを特徴とする掃除道具。【選択図】  図１
2006021012.tif 000002
【特許請求の範囲】
【請求項１】
ブラインドを拭くための充分な大きさをもった掃除面の上部の裏側に窓枠に引っ掛けるための足部を設け、下部の裏側には、支えとなる足部を中央部に設け、長さの違うそれぞれの足部により、安定し、掃除面がブラインドに密着することを特徴とする掃除道具。
【発明の詳細な説明】
【技術分野】
【０００１】  本発明は、ブラインドの掃除道具に関するものである。
【背景技術】
【０００２】  従来、ブラインドの羽をはさんで拭くスポンジなどがあった。
【発明の開示】
【発明が解決しようとする課題】
【０００３】  そのために次のような問題点があった。
（イ）ブラインドの汚れは、たばこのヤニやほこりが、混ざってこびりつき、その上、羽が柔らかいため、力をいれて汚れを拭こうとすると羽がまがってしまい、充分に力もいれられず、柔らかいスポンジなどでこすった位で、おちるものではなかった。
（ロ）スポンジや布で羽の裏表１枚１枚をはさんで拭くため、時間がかかり、大変であった。
本発明は、これらの問題点を解決するためになされたものである。
【課題を解決するための手段】
【０００４】  ブラインドを拭くための充分な大きさをもった掃除面の上部の裏側に窓枠に引っかけるための足部を設ける。下部の裏側には、支えとなる足部を中央部に設ける。長さの違うそれぞれの足部により、安定し、掃除面がブラインドに密着する。以上を特徴とする掃除道具である。
【発明の効果】
【０００５】  ある程度の大きさをもった掃除面を下げた状態のブラインドの片側の背にあてるとブラインドが一枚の板のようになる。力を加えてもへこむ事がなく、雑巾で力をいれて拭けるので、ブラインドのすみずみまで汚れがきれいにおちる。表面を拭いたらブラインドを裏返して、同じ要領で裏面を拭く。今までは、スポンジで一枚、一枚羽をはさんで拭いていたので、大変時間がかかったが、この道具を使うと窓ガラスを拭くように掃除ができるので、早く、きれいにブラインドの汚れをとることができる。
【発明を実施するための最良の形態】
【０００６】  以下、本発明の実施の形態について説明する。
（イ）ブラインド（４）を拭くための充分の大きさをもった掃除面（１）の上部の裏側に窓枠（５）に引っかけるための足部（２）を設ける。
（ロ）掃除面（１）の下部の裏側には、支えとなる足部（３）を中央部に設ける。
（ハ）上部の足部（２）は、壁部（７）から、ブラインド（４）までの高さ、下部の足部（３）は、２枚あるうちの１方の窓ガラス（６）からブラインド（４）までの高さを有する。長さの違うそれぞれの足部（２）（３）により、安定することができ、掃除面にブラインドが密着することができる。
本発明は以上のような構成で、これを使用するときは、ブラインド（４）の背に掃除面（１）をあてるため、窓ガラス（６）とブラインド（４）の間に入れ、上部の足部（２）を窓枠（５）に引っかけ、窓にとりつける。ブラインド（４）の汚れた面に掃除面（１）があたるようにブラインド（４）を調節し、掃除を行い、裏表すんだら、ブラインド（４）を下げて、次の汚れている面を出し、掃除する。この要領で片側をすべて掃除したら、ブラインド（４）のもう片側を掃除するため、これを反対側に移動させる。この時、下部の足部（３）の安定を保つため、窓ガラス（６）も同時に反対側に移動させる。
【実施例】
【０００７】  図４に示すように窓枠がなく足部を引っかけられない時は、それぞれの足部の先に吸盤（８）をつけ、引っかけられなくても窓ガラス（６）にくっつくようにする。その場合は、上部の足部の長さや位置を変え、窓ガラスにくっつきやすいようになおす。バランスよく安定を保てるよう吸盤は複数個つける。
【図面の簡単な説明】
【０００８】
【図１】本発明の斜視図
【図２】本発明の一部を切り欠いた側面図
【図３】本発明の使用時の側面図
【図４】本発明の他の実施例を示す斜視図
【符号の説明】
【０００９】１  掃除面
２  上部の足部
３  下部の足部
４  ブラインド
５  窓枠
６  窓ガラス
７  壁部
８  吸盤
【図１】
2006021012.tif 000003
【図２】
2006021012.tif 000004
【図３】
2006021012.tif 000005
【図４】
2006021012.tif 000006
(57)【要約】      （修正有）【課題】この発明は布袋１を常に傘から取りはなすことなく、ぬれ傘の時は布袋１を傘の柄から引き出し傘全体を包んでぬれ傘のしづくを散らさぬようにし雨の時には布袋１を傘の柄２の中にしまいこみ傘をあけるようにした装置である。【解決手段】布袋１で傘全体を包み傘の柄２の中にひも３を通す。通したひも３は布袋１の先端にとりつけられており傘を使用する時はこれを引いて布袋１を傘の柄２に納め傘が開かれるようにする。次に傘を使用しない時は傘の柄２の中の布袋１の端を手で引き出して傘全体を包むようにする。【選択図】図３
2006021014.tif 000002
【特許請求の範囲】
【請求項１】
傘を包む布袋を取りはずすことなく布袋で傘全体を包んだりその布袋をはいで傘の柄の中に引きこんだりして傘を開いたり閉じたりする袋傘
【発明の詳細な説明】
【発明の詳細な説明】
この発明は傘の柄の中に布袋を通して入れたり引き出したりして傘全体を包んだりはがしたりして雨の時など傘を必要時に応じて利用出来るようにしたものである。
従来から傘を包む布袋はあったが傘と布袋は別々になっておりその着脱に不便なため殆んど使われていない状態であった。雨にぬれた傘をたたんで電車や車に乗ったり建物の中へ入ったりして他に迷惑をかけたりした。本発明はこのような欠点を除くためになされたものでこれを図面にて説明すれば次の通りである。傘の柄の先端に接続している先端部分の接続面に穴を開けて布袋を傘の柄の中へ通したり外へ引き出したりできるようにする。
布袋１の一端をこのすきまを通して傘全体を包む。
同時に布袋の先端につけたひも３だけを傘の柄の中を通して下端まで下げておく。この布袋は袋状で使用されるが一枚の布でできており両端には布の端にそって弱いバネをつけこみ布が上下に自由に動き而も定位置にきちんと留まるようにする、おおい５にはぬれた傘のしづくがたまり中のスポンジにしみこむ。ひも３の下端を引くと布袋１は傘の柄２の中を通って全部その中へ納まる。ひも３は傘の下端に整理しておく。この時傘を開いたりつぼめたりできる。ぬれた傘を持って室内に入ったり電車に乗ったりすれば周囲の人に迷惑をかけるので布袋１で傘全体を包むようにする。傘のしづくはおおい５の中に落ちる。
傘を布袋１に包むときは傘の柄の中に納めた布袋１の上端を開けて少しづつ手で下方へ引っぱるようにして傘の下端まで押し開く。この時傘の柄２の中の上端から下端まではひも３が残る。ひも３の上端は布袋１の端につながっている。この時布袋１の端が傘の柄２の上端を通りぬけてしまわぬようにその上端が通る時に布袋１の端がしまるようにする。
次に傘を開いて使用する時は先にのべたようにひも３の下端を引いて布袋１を傘の柄２を通して全部その中へ納める。この状態で傘を開いて使うことができる。以後は布袋１で傘をおおったりはがしたりすることを繰りかえす。
この様にして雨の日の傘の取り扱いで電車の中や多くの人が集まる場所で他人に迷惑をかけることなく善良な社会人としての対面を保つ事ができる。
【図面の簡単な説明】〔図１〕
本発明の布袋に包んだ袋傘の断面図である。
〔図２〕
傘の柄の中に布袋をひもで引きこんで納めて傘を開けるようにした断面図
〔図３〕
傘の柄の中にある布袋の先端を手で引きおろして傘全体を布袋に包んだ袋傘の断面図
【図１】
2006021014.tif 000003
【図２】
2006021014.tif 000004
【図３】
2006021014.tif 000005
(57)【要約】【課題】  最近のゴルフクラブのヘッド部分は，従来に比べ容積が非常に大なってきているので、それをヘッドカバーに収納しようとすると、シャフト部分のニットの幅が広く大きくなってしまい見た目や使い勝手が悪かった。【解決手段】  ヘッドカバーシャフト部分の筒状ニットの開口部に，切れ目（スリット）を設ける。【選択図】    図１
2006021036.tif 000002
【特許請求の範囲】
【請求項１】
ゴルフヘッドカバーのシャフト部分に使用したニットの開口部に切れ目（スリット）を入れたゴルフヘッドカバー。
【発明の詳細な説明】
【技術分野】
【０００１】  この発明は，ゴルフ・ヘッドカバーのシャフト部分に使用したニットの開口部に切れ目（スリット）を入れたヘッドカバーに関するものである。
【背景技術】
【０００２】  従来，シャフト部にニットを使用したヘッドカバーの開口部は筒状になっており、最大口径が限られてしまっていた。（但し、ニットの特性で、多少の伸び縮みはある）
【発明の開示】
【発明が解決しようとする課題】
【０００３】
【０００２】によって、次のような問題点があった。
最近のゴルフクラブのヘッド部分は，従来に比べると容積が非常に大きくなってきている。そのクラブをヘッドカバーに収納しようとするときは、ニットの開口部が筒状になっているので最大口径が決まってしまい収納することが非常に困難である。
それを解決しようとすると、ニット部分の幅が広く大きくなってしまい見た目が良くない。その上、キャディバッグの中で幅が広いニット部分に他のクラブが入りこんでしまい、使い勝手も悪い。
【課題を解決するための手段】
【０００４】  ヘッドカバーシャフト部分の筒状ニットの開口部に切れ目（スリット）を設ける。
【発明の効果】
【０００５】  筒状ニットの開口部に切れ目（スリット）を設けることによって、従来の筒状ニット開口部の形状が変わり，同じ幅のニットでも最大口径を広げることができる。その効果により、クラブの収納が容易になる。
【発明を実施するための最良の形態】
【０００６】  以下，本案の実施の形態について説明する。
筒状ニット部分（ａ）の開口部（ｂ）の一部に切れ目（スリット）（ｃ）を設ける。
【図面の簡単な説明】
【０００７】
【図１】  本発明の斜視図である。
【符号の説明】
【０００８】  ａ    筒状ニット部分
ｂ    開口部
ｃ    切れ目（スリット）
【図１】
2006021036.tif 000003
(57)【要約】【課題】トイレットペーパーの芯が縦型のホルダーで、すべての操作を片手でできる縦型トイレットペーパーホルダーを提供する。【解決手段】トイレットペーパーを切るとき、紙切り刃が動かないこと、紙切り刃とペーパーの角度が鋭角であること、ペーパーを引く力に適度のブレーキがかかることがペーパーを片手で切るときの決め手となるので、縦型ホルダーにすることにより、回転にブレーキがかかり解決され、又、ペーパー芯の取り出しは芯排出蓋をつけて落下させ、縦型のホルダーにすることにより、使用中のペーパー芯と予備のペーパー芯を同一軸にすることにより数個の予備のペーパーの補充が簡単となり、すべて片手で作業が可能になった縦型トイレットペーパーホルダー。【選択図】図１
2006021006.tif 000002
【特許請求の範囲】
【請求項１】
トイレットペーパーの芯を縦にしてペーパーを複数個収める箱型のトイレットペーパーケースの頭部のトイレットペーパーの挿入口に蓋を設け、蓋にペーパーの芯受け軸を装着し、トイレットペーパーケースの底部の台座にペーパー芯の排出口を開閉式にふさぐとともにストッパーで固定される芯排出蓋を設け、芯排出蓋にペーパー芯受け軸を装着し、トイレットペーパーケースの下部前面に開口部を設け、開口部にスライド戸を装着し、スライド戸の両側辺部分に、紙切り刃を設けたことを特徴とした縦型トイレットペーパーホルダー。
【発明の詳細な説明】
【技術分野】
【０００１】  本発明は、トイレットペーパーの使用、入れ替えを片手でできる縦型トイレットペーパーホルダーに関するものである。
【背景技術】
【０００２】  従来、トイレットペーパーホルダーは蓋を上下に跳ね上げ式で、蓋の下方に水平に設けられた軸にロールペーパーを差し込むトイレットペーパーホルダーであった。
【発明の開示】
【発明が解決しようとする課題】
【０００３】そのために、次のような問題点があった。
（イ）ペーパーの巻き方向を間違っていれるとまた外して入れ替えなければならなかった
（ロ）複数個の予備のペーパーを簡単な装置と操作でできなかった。
（ハ）ペーパーの補充も使用も、片手で楽に操作ができなかった。
本発明は、これらの問題点を解決するためになされたものである。
【問題を解決するための手段】
【０００４】  トイレットペーパーケースをトイレットペーパーの芯を縦に複数個収める、箱型で前面半円筒形とする。頭部に把手のついた蓋を設け、蓋には数個のペーパーの芯受け軸を装着する。底部の台座にはペーパーの不要芯の排出口とするストッパー付きの芯排出蓋を装着する。下部前面にはペーパーを引き出して、使用する開口部を設ける。開口部にはスライド戸を装着し、戸の両側に紙切り刃を設ける。以上を特徴とした縦型トイレットペーパーホルダーである。
【発明の効果】
【０００５】（イ）不要になったペーパー芯の排出は、台座の芯排出蓋に設けたストッパーの把手を引くだけでよい。
（ロ）予備のペーパーの補充は、上部の蓋をとって、ペーパーの芯を縦に挿入して、蓋をを挿入すればよい。
（ハ）ペーパーのカットは、巻き方向が逆でもスライド戸を反対に引けば自由に対応できる。
以上の操作はすべて片手で操作可能である。
【発明を実施するための最良の形態】
【０００６】以下、本発明の実施の形態について説明する。
（イ）トイレットペーパーの芯を縦に複数個入れることができる、箱型で前面円筒形としたトイレットペーパーケース（１）の頭部にトイレットペーパーを補充する開口部を設け、蓋（２）を設ける。
（ロ）蓋（２）の下面中央に複数個のペーパー芯を貫通する軸（１０）を下方向に設け、蓋の上面に蓋把手（９）を装着する。
（ハ）軸（１０）の先端は球状にする。
（ニ）ケース（１）の底部の台座（１１）の中心に未使用のトイレットペーパーの落下を防ぎ、不要の芯を排出させる方形の穴を設け、穴に芯排出蓋（３）を装着する。
（ホ）芯排出蓋（３）には下面後方に蝶番（１３）を装着し、下面前方にストッパーとなる空錠（１４）を装着する。
（ヘ）空錠（１４）の凹部は芯排出蓋（３）に設け、空錠の凸部は台座（１１）下面に、凹部に対応して装着する。
（ト）凸部空錠（１４）にはコイル状バネが設けられて、空錠把手（１６）の操作で施錠解錠するストッパーとなる。
（チ）台座（１１）上面に中央に穴のあるペーパー滑り円盤（６）を設ける大きさはロールペーパーと同等以下で、厚さは１ミリ以下とし、硬く滑りやすい材質とする。
（リ）ケースの下部前面にトイレットペーパー使用口の開口部を設ける。開口部の横の長さはケース（１）の中心より前面全部、高さはトイレットペーパーの幅とする。
（ヌ）前記開口部にスライド戸（４）を装着する。スライド戸の幅は開口部の４分の３とし、上下には上げ落とし込みのガイドレール（８）を装着する。スライド戸（４）の両側に紙切り刃（５）を設ける。
（ル）ケース（１）の内部の壁体に板バネ（７）を装着する。取り付け位置は次の補充ペーパーの高さの中程で、板バネの寸法は厚さ０．２ミリ幅９ミリ、長さ１８ミリを折り曲げ、曲げた部分を上に向けて一方を壁面に装着する。壁面の板バネ（７）の強さはペーパー芯を排除した際に補充ペーパーの落下を妨がず、ペーパー使用の際、ペーパーを引き出すときに、補充のトイレットペーパーが回転しない程度の強さの材質のもとする。
本発明は以上の構成で、これを使用するときは、開口部よりペーパーを引き出して紙切り刃（５）でカットする。ペーパーの巻き方向が違っていたら、スライド戸（４）を反対に引き紙切り刃でカットする。ペーパーがなくなったら、芯排出蓋（３）の空錠（１４）の把手（１６）を引けば、不要の芯が落下し、予備のペーパーが最下部のトイレットペーパーとして自動的にセットされる。芯排出蓋を上げて閉めれば空錠（１４）で施錠する。ペーパーを補充するには、蓋（２）を把手（９）で抜いて、予備のペーパーの芯を縦にして挿入して、蓋をする。
【図面の簡単な説明】
【０００７】
【図１】本発明の斜視図である。
【図２】（ａ）本発明の断面図である。（ｂ）本発明の芯排出蓋開放時の断面図である。
【図３】本発明の分解斜視図である。
【図４】（ａ）本発明の板バネ不稼働時の詳細図である。（ｂ）本発明の板バネ稼働時の詳細図である。
【図５】本発明の芯排出蓋の詳細図である。
【図６】本発明のガイドレール詳細図である。
【符号の説明】
【０００８】  １  本体
２  蓋
３  芯排出蓋
４  スライド戸
５  紙切り刃
６  滑り用円盤
７  板バネ
８  ガイドレール
９  蓋把手
１０  上部トイレットペーパー芯受け軸
１１  台座
１２  本体取り付けビス穴
１３  蝶番
１４  空錠
１５  上部トイレットペーパー芯受け軸
１６  空錠把手
１７  コイル状バネ
【図１】
2006021006.tif 000003
【図２】
2006021006.tif 000004
【図３】
2006021006.tif 000005
【図４】
2006021006.tif 000006
【図５】
2006021006.tif 000007
【図６】
2006021006.tif 000008